(57)【特許請求の範囲】
【請求項１】
光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に対応する第２の方向に繰り返し備えた第２の調光板と、を備え、
前記第１の調光板及び前記第２の調光板の相対位置を変化させて、前記第１の調光領域と前記第２の調光領域との重なり合いを変化させることにより、透過光量を可変とする調光装置であって、
前記第１の調光板は、前記第２の調光板に対向する側から順に配置された超低位相差層、配向層及び液晶層を含む第１の位相差層と、第１の偏光層と、を備え、
前記第２の調光板は、前記第１の調光板に対向する側から順に配置された超低位相差層、配向層及び液晶層を含む第２の位相差層と、第２の偏光層と、を備え、
前記第１の位相差層は、遅相軸方向が互いに異なる第１の位相差領域及び第２の位相差領域を前記第１の方向に沿って交互に備え、
前記第２の位相差層は、遅相軸方向が互いに異なる第３の位相差領域及び第４の位相差領域を前記第２の方向に沿って交互に備え、
前記第１の調光領域は、前記第１の位相差領域及び前記第２の位相差領域により構成され、
前記第２の調光領域は、前記第３の位相差領域及び前記第４の位相差領域により構成され、
前記第１の調光板は、前記第２の調光板と対向する側に前記第３の位相差層を含む第１の保護層を備え、
前記第２の調光板は、前記第１の調光板と対向する側に前記第４の位相差層を含む第２の保護層を備え、
前記第３の位相差層の光軸と、前記第４の位相差層の光軸とは、互いに平行である、
調光装置。
【請求項２】
光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に対応する第２の方向に繰り返し備えた第２の調光板と、を備え、
前記第１の調光板及び前記第２の調光板の相対位置を変化させて、前記第１の調光領域と前記第２の調光領域との重なり合いを変化させることにより、透過光量を可変とする調光装置であって、
前記第１の調光板は、前記第２の調光板に対向する側から順に配置された超低位相差層、配向層及び液晶層を含む第１の位相差層と、第１の偏光層と、を備え、
前記第２の調光板は、前記第１の調光板に対向する側から順に配置された超低位相差層、配向層及び液晶層を含む第２の位相差層と、第２の偏光層と、を備え、
前記第１の位相差層は、遅相軸方向が互いに異なる第１の位相差領域及び第２の位相差領域を前記第１の方向に沿って交互に備え、
前記第２の位相差層は、遅相軸方向が互いに異なる第３の位相差領域及び第４の位相差領域を前記第２の方向に沿って交互に備え、
前記第１の調光領域は、前記第１の位相差領域及び前記第２の位相差領域により構成され、
前記第２の調光領域は、前記第３の位相差領域及び前記第４の位相差領域により構成され、
前記第１の調光板は、前記第２の調光板と対向する側に前記第３の位相差層を含む第１の保護層を備え、
前記第２の調光板は、前記第１の調光板と対向する側に前記第４の位相差層を含む第２の保護層を備え、
前記第３の位相差層の光軸と、前記第４の位相差層の光軸とは、互いに直交する、
調光装置。
【請求項３】
光学特性が第１の方向に沿って変化する複数の第１の調光領域を、前記第１の方向に繰り返し備えた第１の調光板と、
前記第１の調光板に対向するように配置され、前記第１の調光領域に対応する複数の第２の調光領域を、前記第１の方向に対応する第２の方向に繰り返し備えた第２の調光板と、を備え、
前記第１の調光板及び前記第２の調光板の相対位置を変化させて、前記第１の調光領域と前記第２の調光領域との重なり合いを変化させることにより、透過光量を可変とする調光装置であって、
前記第１の調光板は、前記第２の調光板に対向する側から順に配置された液晶層、配向層及び低位相差層を含む第１の位相差層と、第１の偏光層と、を備え、前記第１の位相差層に配置された前記低位相差層の光軸及び前記第１の偏光層の吸収軸は軸方向が同じであり、
前記第２の調光板は、前記第１の調光板に対向する側から順に配置された液晶層、配向層及び低位相差層を含む第２の位相差層と、第２の偏光層と、を備え、前記第２の位相差層の光軸及び前記第２の偏光層の吸収軸は軸方向が同じであり、
前記第１の位相差層は、遅相軸方向が互いに異なる第１の位相差領域及び第２の位相差領域を前記第１の方向に沿って交互に備え、
前記第２の位相差層は、遅相軸方向が互いに異なる第３の位相差領域及び第４の位相差領域を前記第２の方向に沿って交互に備え、
前記第１の調光領域は、前記第１の位相差領域及び前記第２の位相差領域により構成され、
前記第２の調光領域は、前記第３の位相差領域及び前記第４の位相差領域により構成される、
調光装置。
【請求項４】
請求項３に記載の調光装置であって、
前記第１の調光板の前記第１の位相差層に配置された前記低位相差層の光軸と、前記第２の調光板の前記第２の位相差層に配置された前記低位相差層の光軸とは、互いに平行である、調光装置。
【請求項５】
請求項３又は請求項４に記載の調光装置であって、
前記第１の調光板は、前記第２の調光板と対向する側に第３の位相差層を含む第１の保護層を備え、
前記第２の調光板は、前記第１の調光板と対向する側に第４の位相差層を含む第２の保護層を備え、
前記第３の位相差層の光軸と、前記第４の位相差層の光軸とは、互いに平行である、
調光装置。
【請求項６】
請求項３又は請求項４に記載の調光装置であって、
前記第１の調光板は、前記第２の調光板と対向する側に第３の位相差層を含む第１の保護層を備え、
前記第２の調光板は、前記第１の調光板と対向する側に第４の位相差層を含む第２の保護層を備え、
前記第３の位相差層の光軸と、前記第４の位相差層の光軸とは、互いに直交する、
調光装置。
【発明の詳細な説明】
【技術分野】
【０００１】
本発明は、対向する一対の調光板により光の透過を制御する調光装置に関する。
【背景技術】
【０００２】
対向する一対の調光板を保持し、この調光板をスライドさせて重なり合う部位を変化させることにより、透過光を制御して調光を図る調光装置が提案されている（特許文献１〜４参照）。
【先行技術文献】
【特許文献】
【０００３】
【特許文献１】特開２０１３−９２７０７号公報
【特許文献２】特開平９−３１０５６７号公報
【特許文献３】特表２０１４−５０７６７６号公報
【特許文献４】米国特許第８３１０７５７号明細書
【発明の概要】
【発明が解決しようとする課題】
【０００４】
このような調光装置においては、入射光を遮光する位置に調光板をスライドさせたときに、より高い遮蔽度を得ることが求められている。
【０００５】
本発明の課題は、より高い遮蔽度が得られる調光装置を提供することである。
【課題を解決するための手段】
【０００６】
・第１の発明は、光学特性が第１の方向に沿って変化する複数の第１の調光領域を、前記第１の方向に繰り返し備えた第１の調光板と、前記第１の調光板に対向するように配置され、前記第１の調光領域に対応する複数の第２の調光領域を、前記第１の方向に対応する第２の方向に繰り返し備えた第２の調光板と、を備え、前記第１の調光板及び前記第２の調光板の相対位置を変化させて、前記第１の調光領域と前記第２の調光領域との重なり合いを変化させることにより、透過光量を可変とする調光装置であって、前記第１の調光板は、前記第２の調光板に対向する側から順に配置された超低位相差層、配向層及び液晶層を含む第１の位相差層と、第１の偏光層と、を備え、前記第２の調光板は、前記第１の調光板に対向する側から順に配置された超低位相差層、配向層及び液晶層を含む第２の位相差層と、第２の偏光層と、を備え、前記第１の位相差層は、遅相軸方向が互いに異なる第１の位相差領域及び第２の位相差領域を前記第１の方向に沿って交互に備え、前記第２の位相差層は、遅相軸方向が互いに異なる第３の位相差領域及び第４の位相差領域を前記第２の方向に沿って交互に備え、前記第１の調光領域は、前記第１の位相差領域及び前記第２の位相差領域により構成され、前記第２の調光領域は、前記第３の位相差領域及び前記第４の位相差領域により構成される調光装置である。
【０００７】
・第２の発明は、第１の発明の調光装置であって、前記第１の調光板は、前記第２の調光板と対向する側に第３の位相差層を含む第１の保護層を備え、前記第２の調光板は、前記第１の調光板と対向する側に第４の位相差層を含む第２の保護層を備え、前記第３の位相差層及び前記第４の位相差層は、それぞれ光軸が平行である調光装置である。
【０００８】
・第３の発明は、第１の発明の調光装置であって、前記第１の調光板は、前記第２の調光板と対向する側に第３の位相差層を含む第１の保護層を備え、前記第２の調光板は、前記第１の調光板と対向する側に第４の位相差層を含む第２の保護層を備え、前記第３の位相差層及び前記第４の位相差層は、それぞれ光軸が直交する調光装置である。
【０００９】
・第４の発明は、光学特性が第１の方向に沿って変化する複数の第１の調光領域を、前記第１の方向に繰り返し備えた第１の調光板と、前記第１の調光板に対向するように配置され、前記第１の調光領域に対応する複数の第２の調光領域を、前記第１の方向に対応する第２の方向に繰り返し備えた第２の調光板と、を備え、前記第１の調光板及び前記第２の調光板の相対位置を変化させて、前記第１の調光領域と前記第２の調光領域との重なり合いを変化させることにより、透過光量を可変とする調光装置であって、前記第１の調光板は、前記第２の調光板に対向する側から順に配置された液晶層、配向層及び低位相差層を含む第１の位相差層と、第１の偏光層と、を備え、前記第１の位相差層に配置された前記低位相差層の光軸及び前記第１の偏光層の吸収軸は軸方向が同じであり、前記第２の調光板は、前記第１の調光板に対向する側から順に配置された液晶層、配向層及び低位相差層を含む第２の位相差層と、第２の偏光層と、を備え、前記第２の位相差層の光軸及び前記第２の偏光層の吸収軸は軸方向が同じであり、前記第１の位相差層は、遅相軸方向が互いに異なる第１の位相差領域及び第２の位相差領域を前記第１の方向に沿って交互に備え、前記第２の位相差層は、遅相軸方向が互いに異なる第３の位相差領域及び第４の位相差領域を前記第２の方向に沿って交互に備え、前記第１の調光領域は、前記第１の位相差領域及び前記第２の位相差領域により構成され、前記第２の調光領域は、前記第３の位相差領域及び前記第４の位相差領域により構成される調光装置である。
【００１０】
・第５の発明は、第４の発明の調光装置であって、前記第１の調光板の前記第１の位相差層に配置された前記低位相差層及び前記第２の調光板の前記第２の位相差層に配置された前記低位相差層は、それぞれ光軸が平行である調光装置である。
【００１１】
・第６の発明は、第４又は第５の発明の調光装置であって、前記第１の調光板は、前記第２の調光板と対向する側に第３の位相差層を含む第１の保護層を備え、前記第２の調光板は、前記第１の調光板と対向する側に第４の位相差層を含む第２の保護層を備え、前記第３の位相差層及び前記第４の位相差層は、それぞれ光軸が平行である調光装置である。
【００１２】
・第７の発明は、第４又は第５の発明の調光装置であって、前記第１の調光板は、前記第２の調光板と対向する側に第３の位相差層を含む第１の保護層を備え、前記第２の調光板は、前記第１の調光板と対向する側に第４の位相差層を含む第２の保護層を備え、前記第３の位相差層及び前記第４の位相差層は、それぞれ光軸が直交する調光装置である。
【発明の効果】
【００１３】
本発明によれば、より高い遮蔽度が得られる調光装置を提供することができる。
【図面の簡単な説明】
【００１４】
【図１】第１実施形態の調光装置１を説明する図である。
【図２】第１の調光板１０及び第２の調光板２０の概略構成を示す図である。
【図３】第１の調光板１０及び第２の調光板２０の層構成を示す図である。
【図４】第１の位相差層１３及び第２の位相差層２３の位相差領域を説明する図である。
【図５】第１の偏光層１２及び第２の偏光層２２の偏光領域を説明する図である。
【図６】調光装置１の断面図である。
【図７Ａ】第２実施形態の調光装置１Ａを説明する図である。
【図７Ｂ】第２実施形態の調光装置１Ａを説明する図である。
【図８Ａ】第３実施形態の調光装置１Ｂを説明する図である。
【図８Ｂ】第３実施形態の調光装置１Ｂを説明する図である。
【発明を実施するための形態】
【００１５】
以下、本発明の実施形態（第１実施形態〜第３実施形態）ついて説明する。なお、本明細書に添付した図面においては、理解しやすさ等を考慮して、各部の形状、縮尺、縦横の寸法比等を、実物から変更又は誇張している。
本明細書において、形状、幾何学的条件、これらの程度を特定する用語、例えば、「平行」、「直交」、「方向」、「向き」等については、その用語の厳密な意味に加えて、同様の光学的機能を奏し、ほぼ平行、ほぼ直交等とみなせる程度の範囲、概ねその方向及び向きとみなせる範囲を含む。
本明細書において、「シート」、「フィルム」、「板」等の用語は、呼称の相違に基づいて、相互に区別されない。例えば、「板」は、シート、フィルムと呼ばれ得る部材をも含む概念である。
【００１６】
また、以下に説明する図面には、必要に応じてＸＹＺの直交座標系を記載した。この座標系は、図１に示す調光装置１の使用状態を基準として、厚さ方向をＺ方向、左右方向をＸ方向、上下方向（鉛直方向）をＹ方向とする。ここで、厚さ方向（Ｚ方向）のうち、前面側をＺ１側とし、背面側をＺ２とする。左右方向（Ｘ方向）のうち、右側をＸ１側とし、左側をＸ２側とする。上下方向（Ｙ方向）のうち、下側をＹ１側とし、上側をＹ２側とする。なお、本実施形態では、調光装置１の長辺が水平となるように配置した場合を使用状態として説明するが、調光装置１の使用状態は、これに限定されず、どのような向きに配置してもよい。
【００１７】
（第１実施形態）
図１は、第１実施形態の調光装置１を説明する図である。
第１実施形態の調光装置１は、第１の調光板１０、第２の調光板２０、第１のフレーム３１、第２のフレーム３２及びカバーフレーム３３を備える。
【００１８】
第１の調光板１０及び第２の調光板２０は、厚さ方向（Ｚ方向）において、対向するように配置されている。調光装置１は、第２の調光板２０に対して、第１の調光板１０を左右方向（Ｘ方向）にスライドさせることができる。調光装置１は、第１の調光板１０及び第２の調光板２０の重なり合う部位を変化させることにより、光の透過を制御することができる。第１のフレーム３１、第２のフレーム３２及びカバーフレーム３３については、後述する。
【００１９】
図２は、第１の調光板１０及び第２の調光板２０の概略構成を示す図である。図３は、第１の調光板１０及び第２の調光板２０の層構成を示す図である。
図２に示すように、第１の調光板１０は、透明部材１１、第１の偏光層１２及び第１の位相差層１３を備える。第１の調光板１０は、調光装置１の前面側（Ｚ１側）から背面側（Ｚ２側）に入射する光の光路において、透明部材１１、第１の偏光層１２、第１の位相差層１３の順に積層されている。
透明部材１１は、第１の調光板１０において、最も前面側（Ｚ１側）に配置される部材である。透明部材１１は、例えば、平板状のガラス板、アクリル板等により形成される。
【００２０】
第１の偏光層１２は、直線偏光板として機能する光学機能層である。第１の偏光層１２は、透明部材１１と第１の位相差層１３との間に設けられる。第１の偏光層１２として、シート・ポラライザーによる直線偏光板を用いることができる。この直線偏光板は、例えば、ポリビニルアルコール（ＰＶＡ）によるフィルム材にヨウ素化合物分子を吸着配向させた偏光フィルムを、ＴＡＣ（Ｔｒｉａｃｅｔｙｌｃｅｌｌｕｌｏｓｅ）等の透明フィルムで挟持することにより作製することができる。第１の偏光層１２の吸収軸ａ１は、第１の方向Ｄ１（後述）と直交する方向に形成されている。
【００２１】
第１の偏光層１２は、図３に示すように、耐候粘着層１４を介して透明部材１１に積層されている。なお、第１の偏光層１２は、上述したシート・ポラライザーによる直線偏光板に限らず、ワイヤーグリッド型の直線偏光板、塗工型の直線偏光板等であってもよい。
【００２２】
第１の位相差層１３は、第１の偏光層１２の背面側（Ｚ２側）に配置される。第１の位相差層１３は、図３に示すように、粘着層１５を介して第１の偏光層１２に積層されている。
第１の位相差層１３は、図３に示すように、低位相差層１３１、配向層１３２及び液晶層１３３を備える。これらの層は、調光装置１の前面側（Ｚ１側）から背面側（Ｚ２側）に入射する光の光路において、液晶層１３３、配向層１３２、低位相差層１３１の順に積層されている。
【００２３】
低位相差層１３１は、ＴＡＣ等の透明フィルム材により形成される。配向層１３２は、この透明フィルム材の表面に配向層用の組成物を塗布し、表面に配向パターンを形成することにより作製される。液晶層１３３は、配向層１３２の表面に液晶材料を塗布し、配向層１３２の配向規制力により液晶材料を配向させた状態で硬化させることにより作製される。第１の位相差層１３には、互いに遅相軸が異なる第１の位相差領域Ａ１及び第２の位相差領域Ｂ１（後述）が形成されている。
なお、配向層１３２の配向パターンは、ラビング処理により形成してもよいし、光配向層用いた光配向方式により形成してもよい。また、配向層１３２の配向パターンは、賦型処理によりライン状の凹凸形状を作製することにより形成してもよい。
【００２４】
第２の調光板２０は、透明部材２１、第２の偏光層２２及び第２の位相差層２３を備える。第２の調光板２０は、調光装置１の前面側（Ｚ１側）から背面側（Ｚ２側）に入射する光の光路において、第２の位相差層２３、第２の偏光層２２、透明部材２１の順に積層されている。
【００２５】
第２の調光板２０を構成する各部の基本的な構成は、第１の調光板１０と実質的に同じである。
透明部材２１は、第１の調光板１０の透明部材１１に相当する。第２の偏光層２２は、第１の調光板１０の第１の偏光層１２に相当する。第２の偏光層２２の吸収軸ａ２は、第２の方向Ｄ２と平行に形成されている。本実施形態において、第１の偏光層１２（第１の調光板１０）及び第２の偏光層２２は、それぞれの吸収軸が互いに直交するように形成されている。第２の偏光層２２は、耐候粘着層２４を介して透明部材２１に積層されている。
【００２６】
第２の位相差層２３は、第１の調光板１０の第１の位相差層１３に相当する。第２の位相差層２３は、低位相差層２３１、配向層２３２及び液晶層２３３を備える。低位相差層２３１、配向層２３２、液晶層２３３は、それぞれ第１の調光板１０の低位相差層１３１、配向層１３２、液晶層１３３に相当する。第２の位相差層２３は、粘着層２５を介して第２の偏光層２２に積層されている。第２の位相差層２３には、互いに遅相軸が異なる第３の位相差領域Ａ２及び第４の位相差領域Ｂ２（後述）が形成されている。
【００２７】
次に、第１の位相差層１３及び第２の位相差層２３の位相差領域について説明する。図４は、第１の位相差層１３及び第２の位相差層２３の位相差領域を説明する図である。
図４に示すように、第１の位相差層１３は、互いに遅相軸が異なる第１の位相差領域Ａ１及び第２の位相差領域Ｂ１を有する。第１の位相差領域Ａ１及び第２の位相差領域Ｂ１は、第１の方向Ｄ１に沿って交互に形成されている。第１の位相差領域Ａ１及び第２の位相差領域Ｂ１は、第１の方向Ｄ１と直交する方向に帯状に形成されている。第１の調光板１０は、第１の位相差領域Ａ１及び第２の位相差領域Ｂ１を一単位とする、複数の第１の調光領域ＡＲ１を有する。従って、第１の調光板１０は、第１の方向Ｄ１に沿って光学特性が変化する。
【００２８】
同様に、第２の位相差層２３は、互いに遅相軸が異なる第３の位相差領域Ａ２及び第４の位相差領域Ｂ２を有する。第３の位相差領域Ａ２及び第４の位相差領域Ｂ２は、第２の方向Ｄ２に沿って交互に形成されている。第３の位相差領域Ａ２及び第４の位相差領域Ｂ２は、第２の方向Ｄ２に直交する方向に帯状に形成されている。第２の調光板２０は、第３の位相差領域Ａ２及び第４の位相差領域Ｂ２を一単位とする、複数の第２の調光領域ＡＲ２を有する。従って、第２の調光板２０は、第２の方向Ｄ２に沿って光学特性が変化する。
【００２９】
第１の位相差領域Ａ１及び第２の位相差領域Ｂ１は、第１の偏光層１２の透過軸方向及び吸収軸方向に対して、第１の偏光層１２の側から見て、互いに遅相軸方向が異なる。例えば、遅相軸は、第１の偏光層１２の透過軸に対して時計方向及び反時計方向にそれぞれ４５度の角度となるように設定されている。同様に、第３の位相差領域Ａ２及び第４の位相差領域Ｂ２は、第２の偏光層２２の透過軸方向及び吸収軸方向に対して、第２の偏光層２２の側から見て、互いに遅相軸方向が異なる。例えば、遅相軸は、第２の偏光層２２の透過軸に対して時計方向及び反時計方向にそれぞれ４５度の角度となるように設定されている。なお、図４においては、各領域Ａ１、Ａ２、Ｂ１、Ｂ２における遅相軸方向を斜めの直線により示す。第１の位相差層１３及び第２の位相差層２３は、透過光に１／４波長の位相差を付与して、１／４波長位相差層として機能する厚みにより作製される。なお、第１の位相差層１３及び第２の位相差層２３の厚みは、実用上充分な範囲で１／４波長とは異なる位相差を付与する厚みにより作製してもよい。
【００３０】
例えば、第１の調光板１０側から光が入射する場合、第１の偏光層１２により直線偏光となった光を、第１の位相差領域Ａ１、第２の位相差領域Ｂ１で回転方向がそれぞれ逆向きの円偏光に変換して出射する。そして、第３の位相差領域Ａ２、第４の位相差領域Ｂ２により、位相差を付与して元の直線偏光又はこれと９０度偏光方向の異なる直線偏光に変換して第２の偏光層２２に到達させる。これにより、調光装置１を透過する光の透過率を制御することができる。なお、第２の調光板２０側から光が入射する場合も同様である。
【００３１】
このように、調光装置１においては、第１の調光板１０、第２の調光板２０の各領域Ａ１、Ａ２、Ｂ１、Ｂ２の重なり合いの度合いにより、元の直線偏光により第２の偏光層２２及び第１の偏光層１２に入射する部位の面積と、元の直線偏光と９０度偏光方向の異なる直線偏光により第２の偏光層２２及び第１の偏光層１２に入射する部位の面積とが変化する。調光装置１は、これら面積の変化により、入射した光の透過を制御することができる。
【００３２】
第１の調光板１０は、偏光した入射光に対する光学特性が、第１の方向Ｄ１において変化する第１の調光領域ＡＲ１を、この第１の方向Ｄ１に繰り返し備えている。また、第２の調光板２０は、第１の調光領域ＡＲ１に対応する第２の調光領域ＡＲ２を、第１の方向Ｄ１に対応する第２の方向Ｄ２に繰り返し備えている。
第１の調光板１０及び第２の調光板２０は、光学特性が第１の方向Ｄ１、第２の方向Ｄ２に沿って変化する調光領域を、この方向に繰り返し備えた種々の構成を適用することができる。
【００３３】
図５は、第１の偏光層１２及び第２の偏光層２２の偏光領域を説明する図である。例えば、図５に示すように、面内で偏光による透過軸をパターンニングした第１の偏光層１２、第２の偏光層２２により、第１の調光板１０、第２の調光板２０を作製してもよい。この場合、第１の偏光層１２、第２の偏光層２２のパターンニングにより、スライド方向Ｓに対応する方向に、透過軸方向が９０度異なる領域である第１の偏光領域Ａ、第２の偏光領域Ｂを順次交互に設け、この領域Ａ及びＢにより第１の調光領域ＡＲ１、第２の調光領域ＡＲ２を構成してもよい。例えば、領域Ａ、Ｂの透過軸方向は、帯状に形成された領域の延長方向及び幅方向に設定される。
【００３４】
調光領域は、帯状領域Ａ及びＢに代えて、矩形形状による領域Ａ及びＢを市松状に配置して矩形形状により調光領域を形成する場合、菱形形状による領域Ａ、Ｂを順次交互に配置して平行四辺形形状により調光領域を形成する場合等、種々の形状、配列を適用することができる。これらの場合、スライド方向Ｓが複数存在することがあり得る。
【００３５】
次に、調光板の保持機構について説明する。図６は、調光装置１の断面図である。図６は、調光装置１の左右方向（Ｘ方向）の中心におけるＹ−Ｚ平面の断面を示している。
調光装置１において、第１の調光板１０は、第１のフレーム３１に保持されている。第２の調光板２０は、第２のフレーム３２に保持されている。図６に示すように、第１のフレーム３１、第２のフレーム３２は、それぞれ第１の調光板１０、第２の調光板２０を収容可能な枠形状に形成されている。また、第１のフレーム３１、第２のフレーム３２は、第１の調光板１０、第２の調光板２０の周辺部を保持する段差が、この枠形状の内側面に形成されている。第１のフレーム３１、第２のフレーム３２は、第１の調光板１０、第２の調光板２０をそれぞれ収容する凹部がこの段差により形成される。この段差による凹部に、第１の調光板１０、第２の調光板２０への入射光を遮ることの無いように開口が形成されている。第１のフレーム３１、第２のフレーム３２は、この凹部にそれぞれ第１の調光板１０、第２の調光板２０が配置されて接着剤等により固定される。
【００３６】
カバーフレーム３３は、第２のフレーム３２に対応する大きさを有する枠形状に形成されている。カバーフレーム３３は、第２のフレーム３２側において、枠形状の内側面に、第１のフレーム３１を収納する段差が設けられている。調光装置１は、第２の調光板２０を保持した第２のフレーム３２とカバーフレーム３３との間に、第１の調光板１０を保持した第１のフレーム３１が、スライド方向Ｓ（図１参照）にスライド可能に保持されている。
【００３７】
なお、上述したフレーム３１、３２、３３は、例えば、ＡＢＳ樹脂等の各種樹脂材料を射出成したり、これら樹脂材料、金属材料を切削加工、金属材料の押出しプレス加工等を施したりすることにより作製することができる。また、上述したフレーム３１、３２、３３は、金属板材の曲げ加工等により作製することもできる。
【００３８】
（第２実施形態）
図７Ａ及び図７Ｂは、第２実施形態の調光装置１Ａを説明する図である。
第２実施形態の調光装置１Ａは、第１の位相差層１３Ａ、第２の位相差層２３Ａの構成及び第１の保護層１６、第２の保護層２６を備える点が第１実施形態と相違する。第２実施形態の調光装置１Ａにおいて、その他の構成は、第１実施形態と同じである。そのため、図７Ａ及び図７Ｂにおいては、第１の調光板１０Ａ及び第２の調光板２０Ａの層構成のみを図示し、調光装置１Ａ（図１参照）の全体の説明を省略する。また、第２実施形態の説明及び図面において、第１実施形態と同等の部材等には、第１実施形態と同一の符号を付し、重複する説明を省略する。
【００３９】
図７Ａに示すように、第２実施形態において、第１の調光板１０Ａの第１の位相差層１３Ａは、超低位相差層１３４、配向層１３２及び液晶層１３３を備える。超低位相差層１３４は、位相差が極めて小さい、例えばＺ−ＴＡＣ（製造元：富士フィルム社製、商品名：Ｚ−ＴＡＣ  ＺＲＤ６０ＳＬ）等の透明フィルム材により形成される。この超低位相差層１３４を含む第１の位相差層１３Ａは、粘着層１５を介して第１の偏光層１２に積層されている。
【００４０】
また、第１の調光板１０Ａは、第１の保護層１６を備える。第１の保護層１６は、第１の調光板１０Ａをスライド方向Ｓ（図１参照）に沿ってスライドさせたときに、対向する第２の調光板２０Ａとの接触により、超低位相差層１３４（第１の位相差層１３Ａ）に損傷等が生じるのを抑制するために設けられている。
【００４１】
第１の保護層１６は、低位相差層（第３の位相差層）１６１及びハードコート層１６２を備える。低位相差層１６１は、ＴＡＣ等の透明フィルムにより形成される。低位相差層１６１の光軸ａ３は、第１の方向Ｄ１と直交する方向に形成されている。ハードコート層１６２は、低位相差層１６１を構成する透明フィルムの表面を高硬度化して保護する層である。ハードコート層１６２は、例えば、硬化性樹脂組成物の硬化物により形成される。第１の保護層１６は、粘着層１７を介して第１の位相差層１３Ａに積層されている。
【００４２】
第２の調光板２０Ａは、透明部材２１、第２の偏光層２２、第２の位相差層２３Ａ及び第２の保護層２６を備える。第２の調光板２０Ａは、調光装置１Ａの前面側（Ｚ１側）から背面側（Ｚ２側）に入射する光の光路において、第２の保護層２６、第２の位相差層２３Ａ、第２の偏光層２２、透明部材２１の順に積層されている。
第２の調光板２０Ａを構成する各部の基本的な構成は、第１の調光板１０Ａと実質的に同じであるため、ここでは、第２の位相差層２３Ａ及び第２の保護層２６について説明する。
【００４３】
第２の位相差層２３Ａは、第１の調光板１０Ａの第１の位相差層１３Ａに相当する。第２の位相差層２３Ａは、超低位相差層２３４、配向層２３２及び液晶層２３３を備える。超低位相差層２３４は、第１の調光板１０Ａの超低位相差層１３４に相当する。第２の位相差層２３Ａは、粘着層２５を介して第２の偏光層２２に積層されている。第２の位相差層２３Ａには、互いに遅相軸が異なる第３の位相差領域Ａ２及び第４の位相差領域Ｂ２（図４参照）が形成されている。
【００４４】
第２の保護層２６は、低位相差層（第４の位相差層）２６１及びハードコート層２６２を備える。低位相差層２６１は、第１の調光板１０Ａの低位相差層１６１に相当する。低位相差層２６１の光軸ａ４は、第２の方向Ｄ２と直交する方向に形成されている。ハードコート層２６２は、第１の調光板１０Ａのハードコート層１６２に相当する。第２の保護層２６は、粘着層２７を介して第２の位相差層２３Ａに積層されている。
【００４５】
上述した第２実施形態の調光装置１Ａ（図７Ａ）は、第１の位相差層１３Ａ（第１の調光板１０Ａ）及び第２の位相差層２３Ａ（第２の調光板２０Ａ）に、それぞれ位相差のない超低位相差層１３４、２３４を備えるため、より高い遮蔽度を得ることができる。本発明者らの実験によると、第２実施形態（図７Ａ）の構成による調光装置１Ａは、前面側（Ｚ１側）から背面側（Ｚ２側）に向けて正面から見たときの遮蔽度が０．０１〜０．０３％であることが確認された。また、第２実施形態（図７Ａ）の構成による調光装置１Ａは、前面側（Ｚ１側）から背面側（Ｚ２側）に向けて斜め４５°から見たときの遮蔽度が１．０２〜１．４５％であることが確認された。
【００４６】
なお、遮蔽度は、全面で入射光を遮光する位置に２枚の調光板をスライドさせたときに、光が透過する割合を示している。従って、正面及び斜め４５°から見たときのいずれにおいても、数値が小さくなるほど、より高い遮蔽度が得られたことになる。調光装置を正面から見たときの遮蔽度は、０．０５％以下であることが望ましく、更には０．０１％以下であることがより望ましい。また、調光装置を斜め４５°から見たときの遮蔽度は、１．５％以下であることが望ましい。
【００４７】
また、第２実施形態の調光装置１Ａは、第１の位相差層１３Ａ（第１の調光板１０Ａ）及び第２の位相差層２３Ａ（第２の調光板２０Ａ）において、液晶層１３３、２３３がそれぞれ第１の偏光層１２、第２の偏光層２２側に配置されている。そのため、第２実施形態の調光装置１Ａは、第１の調光板１０Ａをスライド方向Ｓに沿ってスライドさせたときに、液晶層１３３、２３３に損傷等が生じることを抑制することができる。
【００４８】
また、第２実施形態の調光装置１Ａは、第１の保護層１６（第１の調光板１０Ａ）及び第２の保護層２６（第２の調光板２０Ａ）を備える。そのため、第２実施形態の調光装置１Ａは、第１の調光板１０Ａをスライド方向Ｓに沿ってスライドさせたときに、調光板同士の接触により、超低位相差層１３４、２３４に損傷等が生じることを抑制することができる。
【００４９】
また、第２実施形態の調光装置１Ａにおいて、低位相差層１６１（第１の保護層１６）の光軸ａ３と、低位相差層２６１（第２の保護層２６）の光軸ａ４は、互いに平行となるように形成されている。これによれば、第２実施形態の調光装置１Ａは、第１の保護層１６、第２の保護層２６の構成を共通化することができるため、生産性を高めることができる。
【００５０】
次に、第２実施形態の調光装置１Ａにおける他の層構成について説明する。
図７Ｂに示す調光装置１Ａは、第２の保護層２６（第２の調光板２０Ａ）において、低位相差層２６１の光軸ａ４が第２の方向Ｄ２と平行な方向に形成されている。即ち、図７Ｂにおいて、低位相差層１６１（第１の保護層１６）の光軸ａ３と、低位相差層２６１（第２の保護層２６）の光軸ａ４は、互いに直交するように形成されている。その他の構成は、図７Ａに示す調光装置１Ａと同じである。
【００５１】
上述した第２実施形態の調光装置１Ａ（図７Ｂ）は、図７Ａに示す調光装置１Ａとほぼ同一の層構成を備えるため、図７Ａに示す調光装置１Ａと同じく、より高い遮蔽度を得ることができる。特に、第２実施形態の調光装置１Ａ（図７Ｂ）において、低位相差層１６１（第１の保護層１６）及び低位相差層２６１（第２の保護層２６）は、それぞれの光軸が互いに直交するように形成されている。そのため、第２実施形態の調光装置１Ａ（図７Ｂ）は、図７Ａに示す調光装置１Ａよりも、更に高い遮蔽度を得ることができる。本発明者らの実験によると、第２実施形態（図７Ｂ）の構成による調光装置１Ａは、前面側（Ｚ１側）から背面側（Ｚ２側）に向けて正面から見たときの遮蔽度が０．０１〜０．０２％であることが確認された。
【００５２】
また、第２実施形態の調光装置１Ａ（図７Ｂ）は、図７Ａに示す調光装置１Ａと同様に、第１の調光板１０Ａをスライド方向Ｓに沿ってスライドさせたときに、液晶層（１３３、２３３）、超低位相差層（１３４、２３４）に損傷等が生じることを抑制することができる。
【００５３】
（第３実施形態）
図８Ａ及び図８Ｂは、第３実施形態の調光装置１Ｂを説明する図である。
第３実施形態の調光装置１Ｂは、第１の位相差層１３Ｂ及び第２の位相差層２３Ｂの構成が第２実施形態と相違する。第３実施形態の調光装置１Ｂにおいて、その他の構成は、第２実施形態と同じである。そのため、図８Ａ及び図８Ｂにおいては、第１の調光板１０Ｂ及び第２の調光板２０Ｂの層構成のみを図示し、調光装置１Ｂ（図１参照）の全体の説明を省略する。また、第３実施形態の説明及び図面において、第１及び第２実施形態と同等の部材等には、第１及び第２実施形態と同一の符号を付し、重複する説明を省略する。
【００５４】
図８Ａに示すように、第３実施形態の調光装置１Ｂにおいて、第１の調光板１０Ｂの第１の位相差層１３Ｂは、低位相差層１３１、配向層１３２及び液晶層１３３を備える。これらの層は、第１の偏光層１２と対向する側から、低位相差層１３１、配向層１３２、液晶層１３３の順に積層されている。
【００５５】
第１の位相差層１３Ｂに配置された低位相差層１３１は、その光軸ａ５が第１の偏光層１２の吸収軸ａ１と平行となるように形成されている。具体的には、低位相差層１３１の光軸ａ５及び第１の偏光層１２の吸収軸ａ１は、それぞれ第１の方向Ｄ１と直交する方向に形成されている。この低位相差層１３１を含む第１の位相差層１３Ｂは、粘着層１５を介して第１の偏光層１２に積層されている。
【００５６】
第２の調光板２０Ｂの第２の位相差層２３Ｂは、低位相差層２３１、配向層２３２及び液晶層２３３を備える。これらの層は、第２の偏光層２２と対向する側から、低位相差層２３１、配向層２３２、液晶層２３３の順に積層されている。
【００５７】
第２の位相差層２３Ｂに配置された低位相差層２３１は、その光軸ａ６が第２の偏光層２２の吸収軸ａ２と直交するように形成されている。具体的には、低位相差層２３１の光軸ａ６は、第２の方向Ｄ２と直交する方向に形成されている。また、第２の偏光層２２の吸収軸ａ２は、第２の方向Ｄ２と平行に形成されている。この低位相差層２３１を含む第２の位相差層２３Ｂは、粘着層２５を介して第２の偏光層２２に積層されている。
【００５８】
第３実施形態の調光装置１Ｂにおいて、第１の保護層１６（第１の調光板１０Ｂ）に配置された低位相差層１６１の光軸ａ３は、第２の保護層２６（第２の調光板２０Ｂ）に配置された低位相差層２６１の光軸ａ４と平行に形成されている。本実施形態において、低位相差層１６１（第１の保護層１６）の光軸ａ３は、第１の方向Ｄ１と平行に形成されている。また、低位相差層２６１（第２の保護層２６）の光軸ａ４は、第２の方向Ｄ２直交する方向に形成されている。
【００５９】
上述した第３実施形態の調光装置１Ｂは、第１の調光板１０Ｂにおいて、低位相差層１３１の光軸ａ５及び第１の偏光層１２の吸収軸ａ１がそれぞれ平行に形成されている。本構成によれば、第１の偏光層１２によって直線偏光となった光は、低位相差層１３１を偏光状態が変化しないで透過する。これによれば、遮蔽状態において、最終的にほぼ全ての光が第２の偏光層２２によって遮蔽されるため、高い遮蔽度を得ることができる。
【００６０】
更に詳しくは、第１の偏光層１２によって直線偏光となった光は、低位相差層１３１にて偏光状態が変化しないで透過し、液晶層１３３にて円偏光状態となり、低位相差層１６６及び２６１でわずかに楕円偏光状態となる。そして、第２の位相差層２３Ｂを透過した光は、第１の偏光層１２を透過した際の直線偏光とほぼ同じ直線偏光となり、ほぼ全ての光が第２の偏光層２２によって遮蔽されるため、高い遮蔽度を得ることができる。
【００６１】
本発明者らの実験によると、第３実施形態（図８Ａ）の構成による調光装置１Ｂは、前面側（Ｚ１側）から背面側（Ｚ２側）に向けて正面から見たときの遮蔽度が０．０１〜０．０２％であることが確認された。また、第３実施形態（図８Ａ）の構成による調光装置１Ｂは、前面側（Ｚ１側）から背面側（Ｚ２側）に向けて斜め４５°から見たときの遮蔽度が１．０８〜１．５２％であることが確認された。
【００６２】
また、第３実施形態の調光装置１Ｂは、Ｚ−ＴＡＣ等の高価な透明フィルム材を使用しないため、コストを低減することができる。従って、第３実施形態の調光装置１Ｂは、コストの低減を実現しつつ、Ｚ−ＴＡＣ等の高価な透明フィルム材を使用した場合とほぼ同等のより高い遮蔽度を得ることができる。
【００６３】
また、第３実施形態の調光装置１Ｂは、第１の保護層１６（第１の調光板１０Ｂ）及び第２の保護層２６（第２の調光板２０Ｂ）を備える。そのため、第３実施形態の調光装置１Ｂは、第１の調光板１０Ｂをスライド方向Ｓに沿ってスライドさせたときに、調光板同士の接触により、液晶層１３３、２３３に損傷等が生じることを抑制することができる。
【００６４】
また、第３実施形態の調光装置１Ｂにおいて、低位相差層１６１（第１の保護層１６）の光軸ａ３と、低位相差層２６１（第２の保護層２６）の光軸ａ４は、互いに平行に形成されている。これによれば、第３実施形態の調光装置１Ｂは、第１の保護層１６、第２の保護層２６の構成を共通化することができるため、生産性を高めることができる。
【００６５】
次に、第３実施形態の調光装置１Ｂにおける他の層構成について説明する。
図８Ｂに示す調光装置１Ｂは、第２の保護層２６（第２の調光板２０Ｂ）において、低位相差層２６１の光軸ａ４が第２の方向Ｄ２と平行に形成されている。即ち、図８Ｂにおいて、低位相差層１６１（第１の調光板１０Ｂ）の光軸ａ３と、低位相差層２６１（第２の調光板２０Ｂ）の光軸ａ４は、互いに直交するように形成されている。その他の構成は、図８Ａに示す調光装置１Ｂと同じである。
【００６６】
上述した第３実施形態の調光装置１Ｂ（図８Ｂ）は、図８Ａに示す調光装置１Ｂとほぼ同一の層構成を備えるため、図８Ａに示す調光装置１Ｂと同じく、より高い遮蔽度を得ることができる。特に、第３実施形態の調光装置１Ｂ（図８Ｂ）において、低位相差層１６１（第１の調光板１０Ｂ）及び低位相差層２６１（第２の調光板２０Ｂ）は、それぞれの光軸が互いに直交するように形成されている。そのため、第３実施形態の調光装置１Ｂ（図８Ｂ）は、図８Ａに示す調光装置１Ｂよりも、更に高い遮蔽度を得ることができる。本発明者らの実験によると、第３実施形態（図８Ｂ）の構成による調光装置１Ｂは、前面側（Ｚ１側）から背面側（Ｚ２側）に向けて正面から見たときの遮蔽度が０．０１〜０．０２％となり、図８Ａに示す調光装置１Ｂと同等であったが、斜め４５°から見たときの遮蔽度は、１．０４〜１．４７％となり、図８Ａに示す調光装置１Ｂより高い遮蔽度が得られることが確認された。
【００６７】
以上、本発明の実施形態について説明したが、本発明は、前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、実施形態に記載した効果に限定されない。なお、前述した実施形態及び後述する変形形態の構成は、適宜に組み合わせることもできるが、詳細な説明は省略する。
【００６８】
（変形形態）
第１実施形態の調光装置１において、第１の調光板１０、第２の調光板２０に、それぞれ第１の保護層１６及び第２の保護層２６を配置した構成としてもよい。
また、第２及び第３実施形態の調光装置１Ａ、１Ｂにおいて、第１の保護層１６及び第２の保護層２６を配置しない構成としてもよい。
【００６９】
第３実施形態において、第２の調光板２０Ｂの低位相差層２３１（第２の位相差層２３Ｂ）の光軸ａ６と第２の偏光層２２の吸収軸ａ２をそれぞれ平行に形成し、第１の調光板１０Ｂの低位相差層１３１（第１の位相差層１３Ｂ）の光軸ａ５と第１の偏光層１２の吸収軸ａ１が直交するように形成してもよい。
【００７０】
また、第１の調光板１０Ｂの低位相差層１３１（第１の位相差層１３Ｂ）の光軸ａ５と第１の偏光層１２の吸収軸ａ１をそれぞれ平行に形成すると共に、第２の調光板２０Ｂの低位相差層２３１（第２の位相差層２３Ｂ）の光軸ａ６と第２の偏光層２２の吸収軸ａ２をそれぞれ平行に形成してもよい。
【００７１】
第１〜第３実施形態の調光装置（１、１Ａ、１Ｂ）において、光は、前面側（Ｚ１側）から背面側（Ｚ２側）に入射してもよいし、背面側（Ｚ２側）から前面側（Ｚ１側）に入射してもよい。
第１〜第３実施形態の調光装置（１、１Ａ、１Ｂ）において、第１の調光板１０Ａに対して、第２の調光板２０Ｂをスライド方向Ｓにスライドさせる構成としてもよいし、両方の調光板をスライド方向Ｓにスライドさせる構成としてもよい。
【符号の説明】
【００７２】
１，１Ａ，１Ｂ    調光装置
１０，１０Ａ，１０Ｂ    第１の調光板
１２    第１の偏光層
１３，１３Ａ，１３Ｂ    第１の位相差層
１６    第１の保護層
２０，２０Ａ，２０Ｂ    第２の調光板
２２    第２の偏光層
２３，２３Ａ，２３Ｂ    第２の位相差層
２６    第２の保護層
１３１，１６１，２３１，２６２    低位相差層
１３２，２３２    配向層
１３３，２３３    液晶層
１３４，２３４    超低位相差層
【図１】
0006780278.tif 000002
【図２】
0006780278.tif 000003
【図３】
0006780278.tif 000004
【図４】
0006780278.tif 000005
【図５】
0006780278.tif 000006
【図６】
0006780278.tif 000007
【図７Ａ】
0006780278.tif 000008
【図７Ｂ】
0006780278.tif 000009
【図８Ａ】
0006780278.tif 000010
【図８Ｂ】
0006780278.tif 000011